(57)【要約】【課題】  紙などのシート材の出し入れが容易で、簡単に製造できるが、シート材を収納するときに所定位置に配置することができるファイルに入れやすく、かつ、所定位置でシート材を停止させることができるとともに、ファイルの貼り合わせ部を補強して、容易に損傷しないようにする。【解決手段】  ファイルを構成する表面シート１ａと裏面シート１ｂとの間に突出する凸部５が設けられている。対向して凸部５を設けることが好ましく、ファイルの表面シートと裏面シートと一体の凸部５がある。【選択図】  図６
2022002907.tif 000002
【特許請求の範囲】
【請求項１】
ファイルを構成する表面シートと裏面シートとの間に対向して突出する凸部が設けられていることを特徴とするファイル。
【請求項２】
前記凸部は、ファイルを構成する表面シートと裏面シートを裁断するときに凸型で表面シートと裏面シートに一体的に付与して設けられることを特徴とする請求項１記載のファイル。
【請求項３】
ファイルを構成する表面シートと裏面シートとの間に突出する凸部が設けられ、前記凸部は、ファイルを構成する表面シートと裏面シートを裁断するときに凸型で表面シートと裏面シートに一体的に付与して設けられることを特徴とするファイル。
【請求項４】
前記表面シートと裏面シートとが折り畳まれて貼り合わせ部で貼り合わせられてファイルが構成され、前記凸部は、前記貼り合わせ部が線状に連続するときは、その線状の貼り合わせ部に沿って設けられ、又、前記貼り合わせ部が所定間隔を置いて設けられるときは、その所定間隔に合わせて所定間隔で設けられることを特徴とする請求項１又は２記載のファイル。
【請求項５】
前記表面シートと裏面シートとが折り畳まれて貼り合わせ部で貼り合わされてファイルが構成され、前記凸部は、四角形状のファイルの前記貼り合わせ部側の端縁部まで設けられていることを特徴とする請求項１ないし４のいずれか１項に記載のファイル。
【請求項６】
前記凸部は、四角形状のファイルの底部及び／又は側縁部に設けられており、前記底部及び側縁部に設けられている場合としては、十字状に、又は、逆Ｔ字状に設けられている場合を含むことを特徴とする請求項１又は２記載のファイル。
【請求項７】
前記凸部は、前記表面シートと裏面シートの貼り合わせ部の近傍において、貼り合わせ部に沿うように設けられており、出し入れされる紙製のシート材を前記凸部の位置で停止させることを特徴とする請求項１又は２記載のファイル。
【請求項８】
前記ファイルは、トレーシングペーパーで形成されており、紙製のシート材を出し入れする紙製ファイルであることを特徴とする請求項１ないし７のいずれか１項に記載のファイル。
【発明の詳細な説明】
【技術分野】
【０００１】
本発明は、紙などのシート材を挟んで収容するためのファイルに関する。
【背景技術】
【０００２】
図１３に示すように、紙などのシート材を挟んで収容するための従来のファイル１００は、静電気等により表面側シートと裏面側シートが密着する場合があり、この場合には書類の出し入れが特に困難となる。特に、閉塞部分の角部（奥隅部）Ａに綺麗に紙などのシート材１０２が入らず、紙が斜めに傾いてしまうことが多い。そこで、紙などのシート材１０２を円滑に挿入することができるように工夫したファイルやホルダーが考案されている。
【０００３】
特許文献１には、その特許請求の範囲において、「透明もしくは半透明の合成樹脂製シートを二つ折りに折り返して表シートと裏シートとが重合する状態となし、この重合する表シートと裏シートとの下側縁部は溶着等により閉塞する一方、その上側縁部と側縁部の一方即ち背側折り返し部と反対側の側縁部とは開放して、その表裏両シート間に保持させることができる資料を収容するようになしたクリアホルダーにおいて、このクリアホルダーの背側折り返し部側の表裏両シートの夫々の内面側で、その背側折り返し部からやや離隔した位置に、適宜幅適宜長さの長方形状の表シート側及び裏シート側の背見出し取り付けガイド片を、夫々背側折り返し部と反対側の長さ方向側縁部のみをそれに沿うように接着せしめた状態で取り付け配設するとともに、そのクリアホルダーの背側折り返し部内において、背側折り返し部を間に挟んでその両側に続いて跨る表シート内面側と表シート側背見出し取り付けガイド片との間および裏シート内面側と裏シート側背見出し取り付けガイド片との間の間隙部内に長さ方向中央部から二つ折りとなした背見出し片を着脱可能に挿入装着せしめて用いることを特徴とするクリアホルダー。」と記載されている。
特許文献２には、その要約において、「（課題）挿入物を容易かつ円滑に挿入することができるホルダーを得る。」とされ、「（解決手段）表面側シート１２と背面側シート１４とを有し、少なくとも１辺が開放されて開放辺とされ、表面側シート１２と背面側シート１４との間に挿入物が挿入されるホルダー１０であって、表面側シート１２と背面側シート１４とを離間維持させる離間手段３２Ａ、３２Ｂを設けた構成とした。」と記載されている。
【先行技術文献】
【特許文献】
【０００４】
【特許文献１】特開２００８−２３８６３０号
【特許文献２】特開２００５−２２３３７号
【発明の概要】
【発明が解決しようとする課題】
【０００５】
上記特許文献１、２のようなファイルは、紙などのシート材を円滑に挿入することができるように工夫してはいるものの、図１３に示すように、閉塞部分の角部（奥隅部）Ａに綺麗に紙などのシート材１０２が入らず、シート材１０２が斜めに傾いてしまう課題を有する。すなわち、新品のファイル１００は、表面シートと裏面シートが接触する力が強く、紙を収納する場合には、静電気が生じるなどして出し入れがスムーズにいかず、厚紙を収納しようとする場合、そのサイズに収まらない場合や、傾いてしまうというような問題を依然有している（図１３の符号Ａ部分を参照）。なお、合成樹脂製のファイルにおいては、これを使い込んで行くと、今度は広がり過ぎる課題を有する（図１４（ａ）（ｂ））。
また、従来の四角形の合成樹脂製のファイルにおいては、その底辺部分などに表面シートと裏面シートを貼り合わせる、貼り合わせ部１０１が設けられており、熱圧着などで強く閉じられているが（図１３）、紙製ファイルにおいては、糊などで接着されるので、強い綴じが得られない問題や、強い綴じ力が得られないために、この貼り合わせ部が容易に損傷するという課題を有していた。
【０００６】
そこで本発明の目的は、紙などのシート材の出し入れが容易で、簡単に製造できるが、シート材をファイルに入れやすく、しかも、所定位置でシート材を停止させることができるとともに、貼り合わせ部を補強して、容易に損傷しないようにするファイルを提供することにある。
【課題を解決するための手段】
【０００７】
本発明は、上記課題を解決するために、ファイルを構成する表面シートと裏面シートとの間に対向して突出する凸部が設けられていることを特徴とするファイルである。
本発明によれば、表面シートと裏面シートの間に対向する凸部を設けることにより、表面シートと裏面シートとの間に隙間ができて紙製のシート材を差し込みやすくなる。
【０００８】
本発明としては、前記凸部は、ファイルを構成する表面シートと裏面シートを裁断するときに凸型で付与して設けられることを特徴とする。
本発明によれば、ファイルを構成する表面シートと裏面シートを裁断するときに、同時に一体的に凸部を設けることができる。
【０００９】
本発明としては、ファイルを構成する表面シートと裏面シートとの間に突出する凸部が設けられ、前記凸部は、ファイルを構成する表面シートと裏面シートを裁断するときに凸型で表面シートと裏面シートに一体的に付与して設けられることを特徴とする。
本発明によれば、表面シートと裏面シートの間に対向する凸部を設けることにより、表面シートと裏面シートとの間に隙間ができて紙製のシート材を差し込みやすくなり、ファイルを構成する表面シートと裏面シートを裁断するときに、同時に一体的に凸部を設けることができる。
【００１０】
本発明としては、前記表面シートと裏面シートとが折り畳まれて貼り合わせ部で貼り合わせられてファイルが構成され、前記凸部は、前記貼り合わせ部が線状に連続するときは、その線状の貼り合わせ部に沿って設けられ、又、前記貼り合わせ部が所定間隔を置いて設けられるときは、その所定間隔に合わせて所定間隔で設けられることを特徴とする。
本発明によれば、表面シートと裏面シートの貼り合わせ部とほぼ同じ位置まで、差し込まれた紙製のシート材を差し込んで、収納することができる。
【００１１】
本発明としては、前記表面シートと裏面シートとが折り畳まれて貼り合わせ部で貼り合わされてファイルが構成され、前記凸部は、四角形状のファイルの前記貼り合わせ部側の端縁部まで設けられていることを特徴とする。
また、本発明としては、前記凸部は、四角形状のファイルの底部及び／又は側縁部に設けられており、前記底部及び側縁部に設けられている場合としては、十字状に、又は、逆Ｔ字状に設けられている場合を含むことを特徴とする。
本発明によれば、紙製などのシート材をファイルの奥まで、すなわち、表面シートと裏面シートの貼り合わせ部とほぼ同じ位置まで（四角形状の奥隅部まで）、差し込まれた紙製のシート材を差し込んで、収納することができる。
【００１２】
本発明としては、前記凸部は、前記表面シートと裏面シートの貼り合わせ部である貼り合わせ部の近傍において、貼り合わせ部に沿うように設けられており、出し入れされる紙製のシート材を前記凸部の位置で停止させることを特徴とする。
本発明によれば、表面シートと裏面シートの貼り合わせ部とほぼ同じ位置まで、差し込まれた紙製のシート材を停止させ、シートの貼り合わせ部を補強して、容易に損傷しないようにすることができる。
【００１３】
本発明としては、前記ファイルは、トレーシングペーパーで形成されており、紙製のシート材を出し入れする紙製ファイルであることを特徴とする。
本発明によれば、トレーシングペーパーを使用することで、合成樹脂製のファイルのように、中が透けて見えるので収納した紙製のシート材等を一目で確認できる。また、処分する際に分別する必要がなく、パルプ１００％のトレーシングペーパーを使用すれば紙としてリサイクルすることもできる。処分する際に、中身と一緒にシュレッダーにかけることもできる。
【発明の効果】
【００１４】
本発明の構成により、紙製のシート材の出し入れが容易で、簡単に製造できるが、紙製のシート材を収納するときに所定位置に配置することができるファイルに入れやすく、かつ、所定位置で紙製のシート材を停止させることができるとともに、ファイルの貼り合わせ部を補強して、容易に損傷しないようにしたファイルを提供することができる。
【図面の簡単な説明】
【００１５】
【図１】本発明の第一の実施形態のファイルを示す展開図である。
【図２】本発明の第一の実施形態のファイルを示す正面図である。
【図３】本発明の第一の実施形態のファイルを示す背面図である。
【図４】本発明の第一の実施形態のファイルの成形途中を示す斜視図である。
【図５】本発明の第一の実施形態のファイルの凸部を示す断面斜視図である。
【図６】本発明の第一の実施形態のファイルの凸部と貼り合わせ部を示す断面図と従来のファイルを示す断面図である。
【図７】本発明の第一の実施形態のファイルの凸部と貼り合わせ部を示す概略図である。
【図８】本発明の第二の実施形態のファイルを示す展開図である。
【図９】本発明の第二の実施形態のファイルを示す正面図である。
【図１０】本発明の第二の実施形態のファイルを示す背面図である。
【図１１】本発明の第三の実施形態のファイルの凸部と貼り合わせ部を示す概略図である。
【図１２】本発明の第四の実施形態のファイルの凸部と貼り合わせ部を示す概略図である。
【図１３】従来のファイルを示す写真である。
【図１４】従来のファイルの断面図である。
【発明を実施するための形態】
【００１６】
以下、本発明を実施するための一形態について、図面を引用しながら説明する。
【００１７】
（第一の実施形態）
図１は本発明の第一の実施形態のファイルを示す展開図、図２は本発明の第一の実施形態のファイルを示す正面図、図３は本発明の第一の実施形態のファイルを示す背面図、図４は本発明の第一の実施形態のファイルの成形途中を示す斜視図、図５は本発明の第一の実施形態のファイルの凸部を示す断面斜視図である。
本発明の第一の実施形態のファイル１は合成樹脂やトレーシングペーパーなどにより作成される。トレーシングペーパー（tracing-paper）とは、トレース紙とも呼ばれ、設計図を透写したり、写真原稿の上にかけて製版指定をしたりなどするための、薄い半透明の紙である。本発明のファイル１は、トレーシングペーパーなどの紙で作成した場合は、差し込まれた紙などのシート材１０２とともにそのまま廃棄することができ、プラスチックごみとの分別も不要になる。
【００１８】
第一の実施形態のファイル１は、連続した四角形状の一枚の表面シート１ａと裏面シート１ｂとからなる。
また、ファイル１は略台形状の切欠部２を有する。表面シート１ａの側縁部の上部側に切欠部２ａ、裏面シート１ｂの側縁部の上部側に切欠部２ｂを有する。本実施の形態では、切欠部２ａと切欠部２ｂはそれぞれ重なり合わない位置に形成されているが、重なり合ったり、一部が重なり合ったりするように形成してもよい。また表面シート１ａの下部には、表面シート１ａと裏面シート１ｂとの接合の剥離を防止するための切欠部３が設けられている。
【００１９】
図４に示すように、表面シート１ａと裏面シート１ｂをその中央から折り返し、２つ折りにして重ね合わせ、底辺部の貼り合わせ部である貼り合わせ部４においてファイル１を紙で作成する場合は糊等により接着し、合成樹脂等で作成する場合は熱圧着等で底辺部を閉塞させてファイル１を形成し、表面シート１ａと裏面シート１ｂの間に紙などのシート材１０２を収容する。
【００２０】
本発明の実施形態のファイル１は、貼り合わせ部４に沿うように、直線状に凸部５が設けられている。凸部５は、表面シート１ａと裏面シート１ｂを中央から折り返したときに、紙などのシート材１０２が差し込まれる内側に凸となるように設けられており、対向する凸部５により段差Ｓが設けられる。凸部５は、表面シート１ａと裏面シート１ｂの貼り合わせ部側の端縁部まで設けられている。凸部５は、トレーシングペーパーや合成樹脂を裁断または型抜きしてファイル１を形成するときに、表面側（ファイルを折り返したときの外側）から凸型で押圧等により付与する。
【００２１】
図６は本発明の第一の実施形態のファイルの筒部と貼り合わせ部を示す断面図である。
図６に示すように、対向する凸部５によって、表面シート１ａと裏面シート１ｂとの間に紙などのシート材１０２が差し込まれる内側には対向する凸部５による段差Ｓが設けられ、表面シート１ａと裏面シート１ｂとの間に隙間Ｓができてシート材１０２を差し込みやすくなり、差し込まれたシート材１０２が段差Ｓの部分において停止する。対向する凸部５では、貼り合わせ部４とは異なり、接着しない凸部５として形成されているが、表面シート１ａと裏面シート１ｂの底辺部の貼り合わせ部である貼り合わせ部４の近傍において、貼り合わせ部４に沿うように直線状に設けられているから、貼り合わせ部４とほぼ同じ位置までシート材１０２を差し込んで、収納することができる。
図１４（ａ）は従来の新品のファイルを示しており、表面シート１ａと裏面シート１ｂが密着しており、シート材１０２を差し込み難くなっている。図１４（ｂ）は従来の使い古したファイルを示しており、表面シート１ａと裏面シート１ｂの間に間隔が空いているため、シート材１０２が差し込みやすくはなるものの、収納したシート材１０２をしっかりと保持することが難しくなる。
【００２２】
図７は本発明の第一の実施形態のファイルの凸部と貼り合わせ部を示す概略図である。
本発明のファイル１の凸部５は、貼り合わせ部４の真上にくるように設けられており、貼り合わせ部４とほぼ同じ位置まで紙などのシート材１０２を差し込んで、収納することができる。
【００２３】
（第２の実施形態）
図８は本発明の第二の実施形態のファイルを示す展開図、図９は本発明の第二の実施形態のファイルを示す正面図、図１０は本発明の第二の実施形態のファイルを示す背面図である。
本発明の第二の実施形態のファイル１は、四角形状のトレーシングペーパーや合成樹脂で形成された表面シート１ａと裏面シート１ｂを重ね合わせて、一方の側縁部と底辺部の貼り合わせ部である貼り合わせ部４において糊等により接着するか、熱圧着等によりファイル１が形成され、表面シート１ａと裏面シート１ｂの間に紙などのシート材１０２や書類等を収容する。側縁部と底辺部の貼り合わせ部である貼り合わせ部４に沿うように、直線状に凸部５が設けられている。凸部５は、表面シート１ａと裏面シート１ｂを貼り合わせたときに、シート材１０２が差し込まれる内側に凸となるように設けられており、第一の実施形態と同じように、対向する凸部５により段差Ｓが設けられる。凸部５は、トレーシングペーパーや合成樹脂を型抜きして表面シート１ａと裏面シート１ｂを形成するときに、表面側（ファイルを折り返したときの外側）から押圧等により付与する。
【００２４】
対向する凸部５によって、表面シート１ａと裏面シート１ｂとの間にシート材１０２が差し込まれる内側には対向する凸部５による段差Ｓが設けられ、表面シート１ａと裏面シート１ｂとの間に隙間Ｓができてシート材１０２を差し込みやすくなり、差し込まれたシート材１０２が段差Ｓの部分において停止する。対向する凸部５では、貼り合わせ部４とは異なり、接着しない凸部５として形成されているが、表面シート１ａと裏面シート１ｂの側縁部と底辺部の貼り合わせ部である貼り合わせ部４の近傍において、貼り合わせ部４に沿うように直線状に設けられているから、貼り合わせ部４とほぼ同じ位置まで、差し込まれたシート材１０２を差し込んで、収納することができる。
対向する凸部５を側縁部と底辺部両方に設けたことにより、シート材１０２の出し入れをさらにスムーズに行うことができる。
【００２５】
図１１は、本発明の第三の実施形態のファイルの凸部と貼り合わせ部を示す概略図である。
本発明の第三の実施形態のファイル１は、凸部５を直線状ではなく点線状に設けたものである。図１１（ａ）に示すように、貼り合わせ部４を点線状に設け、それに沿って、凸部５を点線状に設けたり、図１１（ｂ）に示すように、貼り合わせ部４を直線状に設け、それに沿って、凸部５を点線状に設けたりすることができる。
このように、直線状ではなく点線状凸部５を設けても、対向する点線状の凸部５によって、表面シート１ａと裏面シート１ｂとの間に紙などのシート材１０２が差し込まれる内側には対向する凸部５による段差Ｓが設けられ、表面シート１ａと裏面シート１ｂとの間に隙間Ｓができてシート材１０２を差し込みやすくなり、差し込まれたシート材１０２が段差Ｓの部分において停止させることができる。また、点線状の凸部によってデザイン性のあるファイルを提供することができる。
【００２６】
図１２は、本発明の第四の実施形態のファイルの凸部と貼り合わせ部を示す概略図である。
本発明の第四の実施形態のファイル１は、表面シート１ａと裏面シート１ｂの閉塞部の角部（奥隅部）Ａに凸部５を設けたものである。図１２（ａ）に示すように、凸部５を角部Ａに十文字状に設けたり、図１２（ｂ）に示すように、凸部５を角部Ａに逆Ｔ字状に設けたりすることができる。
このように角部Ａのみに凸部５を設けた場合でも、表面シート１ａと裏面シート１ｂの角部Ａに隙間Ｓができて紙などのシート材１０２を差し込みやすくなり、角部Ａに綺麗にシート材１０２が入らず、シート材１０２が斜めに傾いてしまうのを防ぐことができる。
【００２７】
以上、本発明では、ファイルの素材としてトレーシングペーパーや合成樹脂を例に説明したが、紙製やプラスチック製であってもよく、素材の種類は問わない。
【符号の説明】
【００２８】
１  ファイル、１ａ  表面シート、１ｂ  裏面シート、
２（２ａ，２ｂ）  切欠部、
３  切欠部、
４  貼り合わせ部、
５  凸部、
１００  ファイル、
１０１  貼り合わせ部、
１０２  紙（シート材）、
Ａ  角部（奥隅部）、
Ｓ  隙間（段差）
【図１】
2022002907.tif 000003
【図２】
2022002907.tif 000004
【図３】
2022002907.tif 000005
【図４】
2022002907.tif 000006
【図５】
2022002907.tif 000007
【図６】
2022002907.tif 000008
【図７】
2022002907.tif 000009
【図８】
2022002907.tif 000010
【図９】
2022002907.tif 000011
【図１０】
2022002907.tif 000012
【図１１】
2022002907.tif 000013
【図１２】
2022002907.tif 000014
【図１３】
2022002907.tif 000015
【図１４】
2022002907.tif 000016
【手続補正書】
【提出日】令和3年10月21日(2021.10.21)
【手続補正１】
【補正対象書類名】特許請求の範囲
【補正対象項目名】全文
【補正方法】変更
【補正の内容】
【特許請求の範囲】
【請求項１】
シート材を挟むように収容するためのファイルであって、前記ファイルを構成する表面シートと裏面シートとの間に対向して突出する凸部が設けられていることを特徴とするファイル。
【請求項２】
前記凸部は、前記表面シートと前記裏面シートが貼り合わされる貼り合わせ部の近傍において、前記貼り合わせ部に沿って線状又は、点線状に設けられていることを特徴とする請求項1記載のファイル。
【請求項３】
前記凸部は四角形状のファイルの底部及び／又は側縁部に設けられており、貼り合わせ部側の端縁部に設けられていることを特徴とする請求項１又は２記載のファイル。
【請求項４】
前記凸部は、四角形状のファイルの底部及び側縁部に設けられており、前記凸部が交わる部分は十字状又は、逆Ｔ字状を呈していることを特徴とする請求項１又は２記載のファイル。
【請求項５】
前記ファイルはトレーシングペーパーで形成されており、収容されたシート材が見えることを特徴とする請求項１ないし４のいずれか１項に記載のファイル
【請求項６】
シート材を挟んで収容するためのファイルを構成する表面シートと裏面シートを裁断するときに凸型で前記表面シートと裏面シートに一体的に凸部を形成することを特徴とするファイルの製造方法。
【手続補正２】
【補正対象書類名】明細書
【補正対象項目名】全文
【補正方法】変更
【補正の内容】
【発明の詳細な説明】
【技術分野】
【０００１】
本発明は、紙などのシート材を挟んで収容するためのファイルに関する。
【背景技術】
【０００２】
図１３に示すように、紙などのシート材を挟んで収容するための従来のファイル１００は、静電気等により表面側シートと裏面側シートが密着する場合があり、この場合には書類の出し入れが特に困難となる。特に、閉塞部分の角部（奥隅部）Ａに綺麗に紙などのシート材１０２が入らず、紙が斜めに傾いてしまうことが多い。そこで、紙などのシート材１０２を円滑に挿入することができるように工夫したファイルやホルダーが考案されている。
【０００３】
特許文献１には、その特許請求の範囲において、「透明もしくは半透明の合成樹脂製シートを二つ折りに折り返して表シートと裏シートとが重合する状態となし、この重合する表シートと裏シートとの下側縁部は溶着等により閉塞する一方、その上側縁部と側縁部の一方即ち背側折り返し部と反対側の側縁部とは開放して、その表裏両シート間に保持させることができる資料を収容するようになしたクリアホルダーにおいて、このクリアホルダーの背側折り返し部側の表裏両シートの夫々の内面側で、その背側折り返し部からやや離隔した位置に、適宜幅適宜長さの長方形状の表シート側及び裏シート側の背見出し取り付けガイド片を、夫々背側折り返し部と反対側の長さ方向側縁部のみをそれに沿うように接着せしめた状態で取り付け配設するとともに、そのクリアホルダーの背側折り返し部内において、背側折り返し部を間に挟んでその両側に続いて跨る表シート内面側と表シート側背見出し取り付けガイド片との間および裏シート内面側と裏シート側背見出し取り付けガイド片との間の間隙部内に長さ方向中央部から二つ折りとなした背見出し片を着脱可能に挿入装着せしめて用いることを特徴とするクリアホルダー。」と記載されている。
特許文献２には、その要約において、「（課題）挿入物を容易かつ円滑に挿入することができるホルダーを得る。」とされ、「（解決手段）表面側シート１２と背面側シート１４とを有し、少なくとも１辺が開放されて開放辺とされ、表面側シート１２と背面側シート１４との間に挿入物が挿入されるホルダー１０であって、表面側シート１２と背面側シート１４とを離間維持させる離間手段３２Ａ、３２Ｂを設けた構成とした。」と記載されている。
【先行技術文献】
【特許文献】
【０００４】
【特許文献１】特開２００８−２３８６３０号公報
【特許文献２】特開２００５−２２３３７号公報
【発明の概要】
【発明が解決しようとする課題】
【０００５】
上記特許文献１、２のようなファイルは、紙などのシート材を円滑に挿入することができるように工夫してはいるものの、図１３に示すように、閉塞部分の角部（奥隅部）Ａに綺麗に紙などのシート材１０２が入らず、シート材１０２が斜めに傾いてしまう課題を有する。すなわち、新品のファイル１００は、表面シートと裏面シートが接触する力が強く、紙を収納する場合には、静電気が生じるなどして出し入れがスムーズにいかず、厚紙を収納しようとする場合、そのサイズに収まらない場合や、傾いてしまうというような問題を依然有している（図１３の符号Ａ部分を参照）。なお、合成樹脂製のファイルにおいては、これを使い込んで行くと、今度は広がり過ぎる課題を有する（図１４（ａ）（ｂ））。
また、従来の四角形の合成樹脂製のファイルにおいては、その底辺部分などに表面シートと裏面シートを貼り合わせる、貼り合わせ部１０１が設けられており、熱圧着などで強く閉じられているが（図１３）、紙製ファイルにおいては、糊などで接着されるので、強い綴じが得られない問題や、強い綴じ力が得られないために、この貼り合わせ部が容易に損傷するという課題を有していた。
【０００６】
そこで本発明の目的は、紙などのシート材の出し入れが容易で、簡単に製造できるが、シート材をファイルに入れやすく、しかも、所定位置でシート材を停止させることができるとともに、貼り合わせ部を補強して、容易に損傷しないようにするファイルを提供することにある。
【課題を解決するための手段】
【０００７】
本発明は、上記課題を解決するために、ファイルを構成する表面シートと裏面シートとの間に対向して突出する凸部が設けられていることを特徴とするファイルである。
本発明によれば、表面シートと裏面シートの間に対向する凸部を設けることにより、表面シートと裏面シートとの間に隙間ができて紙製のシート材を差し込みやすくなる。
【０００８】
本発明としては、前記凸部は、ファイルを構成する表面シートと裏面シートを裁断するときに凸型で付与して設けられることを特徴とする。
本発明によれば、ファイルを構成する表面シートと裏面シートを裁断するときに、同時に一体的に凸部を設けることができる。
【０００９】
本発明としては、ファイルを構成する表面シートと裏面シートとの間に突出する凸部が設けられ、前記凸部は、ファイルを構成する表面シートと裏面シートを裁断するときに凸型で表面シートと裏面シートに一体的に付与して設けられることを特徴とするファイルの製造方法である。
本発明によれば、表面シートと裏面シートの間に対向する凸部を設けることにより、表面シートと裏面シートとの間に隙間ができて紙製のシート材を差し込みやすくなり、ファイルを構成する表面シートと裏面シートを裁断するときに、同時に一体的に凸部を設けることができる。
【００１０】
本発明としては、前記表面シートと裏面シートとが折り畳まれて貼り合わせ部で貼り合わせられてファイルが構成され、前記凸部は、前記貼り合わせ部が線状に連続するときは、その線状の貼り合わせ部に沿って設けられ、又、前記貼り合わせ部が所定間隔を置いて設けられるときは、その所定間隔に合わせて所定間隔で設けられることを特徴とする。
本発明によれば、表面シートと裏面シートの貼り合わせ部とほぼ同じ位置まで、差し込まれた紙製のシート材を差し込んで、収納することができる。
【００１１】
本発明としては、前記表面シートと裏面シートとが折り畳まれて貼り合わせ部で貼り合わされてファイルが構成され、前記凸部は、四角形状のファイルの前記貼り合わせ部側の端縁部まで設けられていることを特徴とする。
また、本発明としては、前記凸部は、四角形状のファイルの底部及び／又は側縁部に設けられており、前記底部及び側縁部に設けられている場合としては、十字状に、又は、逆Ｔ字状に設けられている場合を含むことを特徴とする。
本発明によれば、紙製などのシート材をファイルの奥まで、すなわち、表面シートと裏面シートの貼り合わせ部とほぼ同じ位置まで（四角形状の奥隅部まで）、差し込まれた紙製のシート材を差し込んで、収納することができる。
【００１２】
本発明としては、前記凸部は、前記表面シートと裏面シートの貼り合わせ部である貼り合わせ部の近傍において、貼り合わせ部に沿うように設けられており、出し入れされる紙製のシート材を前記凸部の位置で停止させることを特徴とする。
本発明によれば、表面シートと裏面シートの貼り合わせ部とほぼ同じ位置まで、差し込まれた紙製のシート材を停止させ、シートの貼り合わせ部を補強して、容易に損傷しないようにすることができる。
【００１３】
本発明としては、前記ファイルは、トレーシングペーパーで形成されており、収容されたシート材が見えることを特徴とする。収容されるシート材は紙製のものが好ましい。
本発明によれば、トレーシングペーパーを使用することで、合成樹脂製のファイルのように、中が透けて見えるので収納した紙製のシート材等を一目で確認できる。また、処分する際に分別する必要がなく、パルプ１００％のトレーシングペーパーを使用すれば紙としてリサイクルすることもできる。処分する際に、中身と一緒にシュレッダーにかけることもできる。
【発明の効果】
【００１４】
本発明の構成により、紙製のシート材の出し入れが容易で、簡単に製造できるが、紙製のシート材を収納するときに所定位置に配置することができるファイルに入れやすく、かつ、所定位置で紙製のシート材を停止させることができるとともに、ファイルの貼り合わせ部を補強して、容易に損傷しないようにしたファイルを提供することができる。
【図面の簡単な説明】
【００１５】
【図１】本発明の第一の実施形態のファイルを示す展開図である。
【図２】本発明の第一の実施形態のファイルを示す正面図である。
【図３】本発明の第一の実施形態のファイルを示す背面図である。
【図４】本発明の第一の実施形態のファイルの成形途中を示す斜視図である。
【図５】本発明の第一の実施形態のファイルの凸部を示す断面斜視図である。
【図６】本発明の第一の実施形態のファイルの凸部と貼り合わせ部を示す断面図と従来のファイルを示す断面図である。
【図７】本発明の第一の実施形態のファイルの凸部と貼り合わせ部を示す概略図である。
【図８】本発明の第二の実施形態のファイルを示す展開図である。
【図９】本発明の第二の実施形態のファイルを示す正面図である。
【図１０】本発明の第二の実施形態のファイルを示す背面図である。
【図１１】本発明の第三の実施形態のファイルの凸部と貼り合わせ部を示す概略図である。
【図１２】本発明の第四の実施形態のファイルの凸部と貼り合わせ部を示す概略図である。
【図１３】従来のファイルを示す写真である。
【図１４】従来のファイルの断面図である。
【発明を実施するための形態】
【００１６】
以下、本発明を実施するための一形態について、図面を引用しながら説明する。
【００１７】
（第一の実施形態）
図１は本発明の第一の実施形態のファイルを示す展開図、図２は本発明の第一の実施形態のファイルを示す正面図、図３は本発明の第一の実施形態のファイルを示す背面図、図４は本発明の第一の実施形態のファイルの成形途中を示す斜視図、図５は本発明の第一の実施形態のファイルの凸部を示す断面斜視図である。
本発明の第一の実施形態のファイル１は合成樹脂やトレーシングペーパーなどにより作成される。トレーシングペーパー（tracing-paper）とは、トレース紙とも呼ばれ、設計図を透写したり、写真原稿の上にかけて製版指定をしたりなどするための、薄い半透明の紙である。本発明のファイル１は、トレーシングペーパーなどの紙で作成した場合は、差し込まれた紙などのシート材１０２とともにそのまま廃棄することができ、プラスチックごみとの分別も不要になる。
【００１８】
第一の実施形態のファイル１は、連続した四角形状の一枚の表面シート１ａと裏面シート１ｂとからなる。
また、ファイル１は略台形状の切欠部２を有する。表面シート１ａの側縁部の上部側に切欠部２ａ、裏面シート１ｂの側縁部の上部側に切欠部２ｂを有する。本実施の形態では、切欠部２ａと切欠部２ｂはそれぞれ重なり合わない位置に形成されているが、重なり合ったり、一部が重なり合ったりするように形成してもよい。また表面シート１ａの下部には、表面シート１ａと裏面シート１ｂとの接合の剥離を防止するための切欠部３が設けられている。
【００１９】
図４に示すように、表面シート１ａと裏面シート１ｂをその中央から折り返し、２つ折りにして重ね合わせ、底辺部の貼り合わせ部である貼り合わせ部４においてファイル１を紙で作成する場合は糊等により接着し、合成樹脂等で作成する場合は熱圧着等で底辺部を閉塞させてファイル１を形成し、表面シート１ａと裏面シート１ｂの間に紙などのシート材１０２を収容する。
【００２０】
本発明の実施形態のファイル１は、貼り合わせ部４に沿うように、直線状に凸部５が設けられている。凸部５は、表面シート１ａと裏面シート１ｂを中央から折り返したときに、紙などのシート材１０２が差し込まれる内側に凸となるように設けられており、対向する凸部５により段差Ｓが設けられる。凸部５は、表面シート１ａと裏面シート１ｂの貼り合わせ部側の端縁部まで設けられている。凸部５は、トレーシングペーパーや合成樹脂を裁断または型抜きしてファイル１を形成するときに、表面側（ファイルを折り返したときの外側）から凸型で押圧等により付与する。
【００２１】
図６は本発明の第一の実施形態のファイルの筒部と貼り合わせ部を示す断面図である。
図６に示すように、対向する凸部５によって、表面シート１ａと裏面シート１ｂとの間に紙などのシート材１０２が差し込まれる内側には対向する凸部５による段差Ｓが設けられ、表面シート１ａと裏面シート１ｂとの間に隙間Ｓができてシート材１０２を差し込みやすくなり、差し込まれたシート材１０２が段差Ｓの部分において停止する。対向する凸部５では、貼り合わせ部４とは異なり、接着しない凸部５として形成されているが、表面シート１ａと裏面シート１ｂの底辺部の貼り合わせ部である貼り合わせ部４の近傍において、貼り合わせ部４に沿うように直線状に設けられているから、貼り合わせ部４とほぼ同じ位置までシート材１０２を差し込んで、収納することができる。
図１４（ａ）は従来の新品のファイルを示しており、表面シート１ａと裏面シート１ｂが密着しており、シート材１０２を差し込み難くなっている。図１４（ｂ）は従来の使い古したファイルを示しており、表面シート１ａと裏面シート１ｂの間に間隔が空いているため、シート材１０２が差し込みやすくはなるものの、収納したシート材１０２をしっかりと保持することが難しくなる。
【００２２】
図７は本発明の第一の実施形態のファイルの凸部と貼り合わせ部を示す概略図である。
本発明のファイル１の凸部５は、貼り合わせ部４の真上にくるように設けられており、貼り合わせ部４とほぼ同じ位置まで紙などのシート材１０２を差し込んで、収納することができる。
【００２３】
（第２の実施形態）
図８は本発明の第二の実施形態のファイルを示す展開図、図９は本発明の第二の実施形態のファイルを示す正面図、図１０は本発明の第二の実施形態のファイルを示す背面図である。
本発明の第二の実施形態のファイル１は、四角形状のトレーシングペーパーや合成樹脂で形成された表面シート１ａと裏面シート１ｂを重ね合わせて、一方の側縁部と底辺部の貼り合わせ部である貼り合わせ部４において糊等により接着するか、熱圧着等によりファイル１が形成され、表面シート１ａと裏面シート１ｂの間に紙などのシート材１０２や書類等を収容する。側縁部と底辺部の貼り合わせ部である貼り合わせ部４に沿うように、直線状に凸部５が設けられている。凸部５は、表面シート１ａと裏面シート１ｂを貼り合わせたときに、シート材１０２が差し込まれる内側に凸となるように設けられており、第一の実施形態と同じように、対向する凸部５により段差Ｓが設けられる。凸部５は、トレーシングペーパーや合成樹脂を型抜きして表面シート１ａと裏面シート１ｂを形成するときに、表面側（ファイルを折り返したときの外側）から押圧等により付与する。
【００２４】
対向する凸部５によって、表面シート１ａと裏面シート１ｂとの間にシート材１０２が差し込まれる内側には対向する凸部５による段差Ｓが設けられ、表面シート１ａと裏面シート１ｂとの間に隙間Ｓができてシート材１０２を差し込みやすくなり、差し込まれたシート材１０２が段差Ｓの部分において停止する。対向する凸部５では、貼り合わせ部４とは異なり、接着しない凸部５として形成されているが、表面シート１ａと裏面シート１ｂの側縁部と底辺部の貼り合わせ部である貼り合わせ部４の近傍において、貼り合わせ部４に沿うように直線状に設けられているから、貼り合わせ部４とほぼ同じ位置まで、差し込まれたシート材１０２を差し込んで、収納することができる。
対向する凸部５を側縁部と底辺部両方に設けたことにより、シート材１０２の出し入れをさらにスムーズに行うことができる。
【００２５】
図１１は、本発明の第三の実施形態のファイルの凸部と貼り合わせ部を示す概略図である。
本発明の第三の実施形態のファイル１は、凸部５を直線状ではなく点線状に設けたものである。図１１（ａ）に示すように、貼り合わせ部４を点線状に設け、それに沿って、凸部５を点線状に設けたり、図１１（ｂ）に示すように、貼り合わせ部４を直線状に設け、それに沿って、凸部５を点線状に設けたりすることができる。
このように、直線状ではなく点線状凸部５を設けても、対向する点線状の凸部５によって、表面シート１ａと裏面シート１ｂとの間に紙などのシート材１０２が差し込まれる内側には対向する凸部５による段差Ｓが設けられ、表面シート１ａと裏面シート１ｂとの間に隙間Ｓができてシート材１０２を差し込みやすくなり、差し込まれたシート材１０２が段差Ｓの部分において停止させることができる。また、点線状の凸部によってデザイン性のあるファイルを提供することができる。
【００２６】
図１２は、本発明の第四の実施形態のファイルの凸部と貼り合わせ部を示す概略図である。
本発明の第四の実施形態のファイル１は、表面シート１ａと裏面シート１ｂの閉塞部の角部（奥隅部）Ａに凸部５を設けたものである。図１２（ａ）に示すように、凸部５を角部Ａに十文字状に設けたり、図１２（ｂ）に示すように、凸部５を角部Ａに逆Ｔ字状に設けたりすることができる。
このように角部Ａのみに凸部５を設けた場合でも、表面シート１ａと裏面シート１ｂの角部Ａに隙間Ｓができて紙などのシート材１０２を差し込みやすくなり、角部Ａに綺麗にシート材１０２が入らず、シート材１０２が斜めに傾いてしまうのを防ぐことができる。
【００２７】
以上、本発明では、ファイルの素材としてトレーシングペーパーや合成樹脂を例に説明したが、紙製やプラスチック製であってもよく、素材の種類は問わない。
【符号の説明】
【００２８】
１  ファイル、１ａ  表面シート、１ｂ  裏面シート、
２（２ａ，２ｂ）  切欠部、
３  切欠部、
４  貼り合わせ部、
５  凸部、
１００  ファイル、
１０１  貼り合わせ部、
１０２  紙（シート材）、
Ａ  角部（奥隅部）、
Ｓ  隙間（段差）